【手続補正書】
【提出日】平成20年1月15日(2008.1.15)
【手続補正１】
【補正対象書類名】明細書
【補正対象項目名】特許請求の範囲
【補正方法】変更
【補正の内容】
【特許請求の範囲】
【請求項１】  無線通信ネットワークにおいてＩＰアドレス折衝を維持する方法において、
通信装置に結合された端末装置からＩＰアドレスをリクエストするメッセージを通信装置において受信し、
前記通信装置において、前記ＩＰアドレスリクエストメッセージに応答して前記通信ネットワークからＩＰアドレスをリクエストするメッセージを発生し、
前記通信装置が前記通信ネットワークから割当てられたＩＰアドレスを受信しているか否かを決定しているステップを含み、
前記通信装置が前記割当てられたＩＰアドレスを受信していないという決定に応答して、前記通信装置は任意のＩＰアドレスを有するメッセージを前記端末装置に繰返し送信し、前記任意のＩＰアドレスを有するＩＰアドレスリクエストメッセージを送信することにより応答して前記端末装置をトリガーし、前記通信装置は前記割当てられたＩＰアドレスを前記通信ネットワークから受信するまで、前記ＩＰアドレスリクエストメッセージ中の前記任意のＩＰアドレスを拒否する無線通信ネットワークにおいてＩＰアドレス折衝を維持する方法。
【請求項２】  前記メッセージを発生するステップは、
前記通信装置からの前記ＩＰアドレスリクエストメッセージを前記通信ネットワークに含まれる相互動作機能へ転送し、
前記割当てられたアドレスを前記ＩＰアドレスリクエストメッセージに基づいて秘密保護するために前記相互動作機能と折衝する処理を含んでいる請求項１記載の方法。
【請求項３】  前記決定するステップは、前記ＩＰアドレス折衝に応答して前記相互動作機能が前記割当てられたＩＰアドレスを与えているか否かを確認する処理を含んでいる請求項２記載の方法。
【請求項４】  前記通信装置が前記割当てられたＩＰアドレスを受信しているという決定に応答して、前記通信装置は前記割当てられたＩＰアドレスを有するメッセージを前記端末装置へ送信する請求項３記載の方法。
【請求項５】  前記割当てられたＩＰアドレスメッセージを前記端末装置へ送信したのに応答して、前記通信装置は前記割当てられたＩＰアドレスを有するＩＰアドレスリクエストメッセージを前記端末装置から受信する請求項４記載の方法。
【請求項６】  前記割当てられたＩＰアドレスを有する前記ＩＰアドレスリクエストメッセージを前記端末装置から受信したのに応答して、前記通信装置は前記ＩＰアドレスリクエストメッセージを確認するメッセージを前記端末装置へ送信する請求項５記載の方法。
【請求項７】  前記ＩＰアドレスリクエストメッセージを確認するメッセージを前記端末装置へ送信したのに応答して、前記通信装置は構成オプションを有するメッセージを前記相互動作機能から送信する請求項６記載の方法。
【請求項８】  前記相互動作機能から構成オプションを有する前記メッセージを送信したのに応答して、前記通信装置は前記相互動作機能への前記端末装置による前記割当てられたＩＰアドレスの受信を確認するメッセージを受信する請求項７記載の方法。
【請求項９】  前記ＩＰアドレスリクエストメッセージはＩＰＣＰ  構成−リクエストメッセージである請求項８記載の方法。
【請求項１０】  前記任意のＩＰアドレスメッセージは前記通信装置が拒否する複数の任意のＩＰアドレスのうちの１つを含んでいるＩＰＣＰ  構成−Ｎａｋメッセージである請求項９記載の方法。
【請求項１１】  前記相互動作機能が前記ＩＰアドレスリクエストメッセージに応答してＩＰアドレスを割当てられているか否かの前記確認は、前記通信装置が、前記相互動作機能からのＩＰアドレスを含んでいるＩＰＣＰ  構成−Ａｃｋメッセージを受信しているか否かを識別することによって決定される請求項１０記載の方法。
【請求項１２】  前記割当てられたＩＰアドレスメッセージは前記相互動作機能により与えられた前記割当てられたＩＰアドレスを含んでいるＩＰＣＰ  構成−Ｎａｋメッセージである請求項１１記載の方法。
【請求項１３】  前記割当てられたＩＰアドレスを有する前記ＩＰアドレスリクエストメッセージは前記割当てられたＩＰアドレスを含んでいるＩＰＣＰ  構成−リクエストメッセージである請求項１２記載の方法。
【請求項１４】  前記割当てられたＩＰアドレスを有する前記ＩＰアドレスリクエストメッセージを確認する前記メッセージはＩＰＣＰ  構成−Ａｃｋメッセージである請求項１３記載の方法。
【請求項１５】  前記相互動作機能への前記割当てられたＩＰアドレスの前記受信を確認する前記メッセージはＩＰＣＰ  構成−Ａｃｋメッセージである請求項１４記載の方法。
【請求項１６】  前記通信装置が前記任意のＩＰアドレスメッセージを反復して送信する回数と、前記端末装置が前記任意のＩＰアドレスを含む前記ＩＰアドレスリクエストメッセージに応答する回数を減少させるために予め定められた期間の遅延を導入する処理をさらに含んでいる請求項１５記載の方法。
【請求項１７】  無線通信ネットワークにおいてＩＰアドレス折衝を維持する機構において、
端末装置と、
前記通信装置に結合され、前記端末装置からＩＰアドレスリクエストメッセージを受信し、応答して、ＩＰアドレスリクエストメッセージを前記通信ネットワークへ送信する通信装置とを具備し、
前記通信装置はそれが前記通信ネットワークからの割当てられたＩＰアドレスを受信しているか否かを決定し、
前記通信装置が前記割当てられたＩＰアドレスを受信していないという決定に応答して、前記通信装置は任意のＩＰアドレスを有するメッセージを前記端末装置に繰返し送信して、前記任意のＩＰアドレスを有するＩＰアドレスリクエストメッセージを送信することにより応答して前記端末装置をトリガーし、前記通信装置はそれが前記通信ネットワークから前記割当てられたＩＰアドレスを受信するまで、前記ＩＰアドレスリクエストメッセージ中の前記任意のＩＰアドレスを拒否するように構成されている機構。
【請求項１８】  前記無線通信ネットワークは相互動作機能を有し、前記通信装置は、ＩＰアドレスリクエストメッセージを前記通信ネットワークへ送信し、
前記通信装置はその通信装置からの前記ＩＰアドレスリクエストメッセージを前記相互動作機能へ転送し、
前記割当てられたアドレスを前記ＩＰアドレスリクエストメッセージに基づいて秘密保護するために前記相互動作機能と折衝するように構成されている請求項１７記載の機構。
【請求項１９】  前記通信装置は、前記相互動作機能が前記ＩＰアドレス折衝に応答して前記割当てられたＩＰアドレスを与えられているか否かを確認することによって前記通信ネットワークから割当てられたＩＰアドレスを受信したか否かを決定する請求項１８記載の機構。
【請求項２０】  前記通信装置が前記割当てられたＩＰアドレスを受信しているという決定に応答して、前記通信装置は前記割当てられたＩＰアドレスを有するメッセージを前記端末装置へ送信する請求項１９記載の機構。
【請求項２１】  前記割当てられたＩＰアドレスメッセージを前記端末装置へ送信したのに応答して、前記通信装置は前記割当てられたＩＰアドレスを有するＩＰアドレスリクエストメッセージを前記端末装置から受信する請求項２０記載の機構。
【請求項２２】  前記割当てられたＩＰアドレスを有する前記ＩＰアドレスリクエストメッセージを前記端末装置から受信したのに応答して、前記通信装置は前記ＩＰアドレスリクエストメッセージを確認するメッセージを前記端末装置へ送信する請求項２１記載の機構。
【請求項２３】  前記ＩＰアドレスリクエストメッセージを確認するメッセージを前記端末装置へ送信したのに応答して、前記通信装置は構成オプションを有するメッセージを前記相互動作機能から送信する請求項２２記載の機構。
【請求項２４】  前記相互動作機能から構成オプションを有する前記メッセージを送信したのに応答して、前記通信装置は前記相互動作機能への前記端末装置による前記割当てられたＩＰアドレスの受信を確認するメッセージを受信する請求項２３記載の機構。
【請求項２５】  前記ＩＰアドレスリクエストメッセージはＩＰＣＰ  構成−リクエストメッセージである請求項２４記載の機構。
【請求項２６】  前記任意のＩＰアドレスメッセージは前記通信装置が拒否する複数の任意のＩＰアドレスのうちの１つを含んでいるＩＰＣＰ  構成−Ｎａｋメッセージである請求項２５記載の機構。
【請求項２７】  前記相互動作機能が前記ＩＰアドレスリクエストメッセージに応答してＩＰアドレスを割当てられているか否かの前記確認は、前記通信装置が、前記相互動作機能からのＩＰアドレスを含んでいるＩＰＣＰ  構成−Ａｃｋメッセージを受信しているか否かを識別することによって決定される請求項２６記載の機構。
【請求項２８】  前記割当てられたＩＰアドレスメッセージは前記相互動作機能により与えられた前記割当てられたＩＰアドレスを含んでいるＩＰＣＰ  構成−Ｎａｋメッセージである請求項２７記載の機構。
【請求項２９】  前記割当てられたＩＰアドレスを有する前記ＩＰアドレスリクエストメッセージは前記割当てられたＩＰアドレスを含んでいるＩＰＣＰ  構成−リクエストメッセージである請求項２８記載の機構。
【請求項３０】  前記割当てられたＩＰアドレスを有する前記ＩＰアドレスリクエストメッセージを確認する前記メッセージはＩＰＣＰ  構成−Ａｃｋメッセージである請求項２９記載の機構。
【請求項３１】  前記相互動作機能への前記割当てられたＩＰアドレスの前記受信を確認する前記メッセージはＩＰＣＰ  構成−Ａｃｋメッセージである請求項３０記載の機構。
【請求項３２】  前記通信装置が前記任意のＩＰアドレスメッセージを反復して送信する回数と、前記端末装置が前記任意のＩＰアドレスを含む前記ＩＰアドレスリクエストメッセージに応答する回数を減少させるために予め定められた期間の遅延が導入される請求項３１記載の機構。
【請求項３３】  無線通信ネットワークにおいてＩＰアドレス折衝を維持する装置において、
ＩＰアドレスをリクエストするメッセージを通信装置においてその通信装置に結合されている端末装置から受信する手段と、
前記ＩＰアドレスリクエストメッセージに応答して前記通信ネットワークからＩＰアドレスをリクエストするメッセージを前記通信装置において発生する手段と、
前記通信装置が前記通信ネットワークから割当てられたＩＰアドレスを受信しているか否かを決定する手段とを具備し、
前記通信装置が前記割当てられたＩＰアドレスを受信していないという決定に応答して、前記通信装置は任意のＩＰアドレスを有するメッセージを前記端末装置に繰返し送信し、前記任意のＩＰアドレスを有するＩＰアドレスリクエストメッセージを送信することにより応答して前記端末装置をトリガーし、前記通信装置は前記割当てられたＩＰアドレスを前記通信ネットワークから受信するまで、前記ＩＰアドレスリクエストメッセージ中の前記任意のＩＰアドレスを拒否するように構成されている装置。
【請求項３４】  コンピュータの読み取り可能な媒体を具備するコンピュータプログラムプロダクトにおいて、
コンピュータの読み取り可能な媒体は、
通信装置に結合された端末装置からＩＰアドレスをリクエストするメッセージを通信装置においてコンピュータに受信させるコードと、
前記通信装置において、前記ＩＰアドレスリクエストメッセージに応答して前記通信ネットワークからＩＰアドレスをリクエストするメッセージをコンピュータに発生させるコードと、
前記通信装置が前記通信ネットワークから割当てられたＩＰアドレスを受信しているか否かをコンピュータに決定させるコードとを含み、
前記通信装置が前記割当てられたＩＰアドレスを受信していないという決定に応答して前記通信装置は任意のＩＰアドレスを有するメッセージを前記端末装置に繰返し送信し、前記任意のＩＰアドレスを有するＩＰアドレスリクエストメッセージを送信することにより応答して前記端末装置をトリガーし、前記通信装置は前記割当てられたＩＰアドレスを前記通信ネットワークから受信するまで、前記ＩＰアドレスリクエストメッセージ中の前記任意のＩＰアドレスを拒否するように構成されているコンピュータプログラムプロダクト。